(57)【要約】【課題】発色現像主薬用の保恒剤としての硫黄化合物を含む安定化した濃厚なおよび作業濃度のカラー現像組成物を提供する。【解決手段】保恒剤は、以下の構造Ｉ、ＩＩ、ＩＩＩ、およびＩＶを有する。Ｍ１Ｓ−Ｒ−ＣＨ（ＮＨ２）−ＣＯＯＭ２　　　　　（Ｉ）Ｍ１Ｓ−Ｒ１−ＣＯＯＭ２　　　　　　　　　　　（ＩＩ）Ｒ２−Ｓ−Ｓ−Ｒ２　　　　　　　　　　　　　（ＩＩＩ）Ｒ３ＨＮ−Ｒ４−ＳＭ１　　　　　　　　　　　　（ＩＶ）式中、Ｒは、二価の脂肪族結合基、Ｒ１は、フェニレン、１〜２個の炭素原子を有する非置換アルキレン、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基、Ｒ３は、水素、１〜３個の炭素原子を有するアルキル基またはフェニル、Ｒ４は、アルキレン基、シクロへキシレン基、またはフェニレン基、そしてＭ１およびＭ２は、独立して、水素、アルカリ金属イオンもしくはアンモニウムイオン、またはメチル基である。【選択図】　　　なし【特許請求の範囲】
【請求項１】
ｐＨ７〜１３を有し、
ａ）少なくとも０．０００５モル／Ｌの発色現像主薬、および
ｂ）前記発色現像主薬用の保恒剤として、０．０００５〜０．５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つによって表わされる硫黄化合物、
を含んでなる水性写真カラー現像組成物。
【請求項２】
前記保恒剤が、システインの１個以上の異性体もしくはその塩酸塩、ホモシステイン、メチオニン、３−メルカプトバリン、２−メルカプトプロピオン酸、３−メルカプトプロピオン酸、３−メルカプト−１−安息香酸、メルカプト酢酸、シスチンの１個以上の異性体もしくはその塩酸塩、メソシスチン、３，３´−ジチオビスバリンもしくはその塩酸塩、２−アミノエタンチオール、２−アミノエタンチオール塩酸塩、３−アミノプロパンチオール塩酸塩、または適当なそれらのカルボキシレート塩である、請求項１に記載のカラー現像組成物。
【請求項３】
（Ｉ）ｐＨ９〜１４を有する第１の水溶液、および
（ＩＩ）ｐＨ３〜７を有し、そして
（ａ）少なくとも０．００５モル／Ｌの発色現像主薬、および
（ｂ）少なくとも０．００１モル／Ｌの亜硫酸イオン、
を含む第２の水溶液を含み、
第１または第２の水溶液に、０．００５〜５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つによって表わされる硫黄化合物、
を更に含んでなる、二液形カラー現像キット。
【請求項４】
（Ｉ）ｐＨ９〜１３を有する第１の水溶液、
（ＩＩ）ｐＨ１〜４を有し、そして
（ａ）少なくとも０．００５モル／Ｌの発色現像主薬、および
（ｂ）少なくとも０．００１モル／Ｌの亜硫酸イオン
を含む第２の水溶液、および
（ＩＩＩ）ｐＨ１０〜１３．５を有する第３の水溶液
を含み、
第１、第２または第３の水溶液に、０．００５〜５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つで示される硫黄化合物、
を更に含んでなる、三液形カラー現像キット。
【請求項５】
ｐＨ７〜１３を有し、そして
ａ）少なくとも０．００５モル／Ｌの発色現像主薬、および
ｂ）前記発色現像主薬用の保恒剤として、０．００５〜５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つによって表わされる硫黄化合物、
を含む水性写真カラー現像組成物とカラー写真ハロゲン化銀要素とを接触させることを含んでなる、カラー写真ハロゲン化銀要素にカラー画像を形成させる方法。
【発明の詳細な説明】
【０００１】
【発明の属する技術分野】
本発明は、改善された安定性を有する濃厚なおよび作業濃度の写真カラー現像組成物およびその使用方法に関する。本発明は、カラー写真画像を提供するための写真分野において有用である。
【従来の技術】
【０００２】
露光したカラー写真のハロゲン化銀材料から有用なカラー画像を得るための基本的な処理には、カラー現像、銀の漂白、ハロゲン化銀の定着および水洗または適当な光化学組成物を用いる色素画像の安定化のような光化学処理の数個の工程が含まれる。
【０００３】
写真カラー現像組成物に使用される種々の光化学薬品の濃度は、光学性能を与えるために、ある狭い制限内になければならないことが、一般に知られている。このことは、特に「濃厚物」、即ち一液形組成物には真実である。
【０００４】
写真業界には、生産者および消費者が大量の水の使用、輸送または保管のために金を支払う必要がないように、そしてより小さい容器の使用で済むように、写真処理組成物（カラー現像組成物を含む）を濃厚形態で提供しようとする傾向がある。更にまた、当業界では、種々な成分を混合する必要なしに（それによって混合の誤りを少なくして）それらの容器から直接使用できる組成物、例えば「自動補充」処理機として知られているもの、を提供することが望まれてきた。
【０００５】
均質で、濃厚でかつ安定である非常に有用な一液形のカラー現像組成物は、米国特許第６，０７７，６５１号（Ｄａｒｍｏｎ　等）明細書に記載され、特許請求されている。かかる組成物は、発色現像主薬と特定量の水溶性有機溶媒からなる遊離塩基形態の存在によって安定である。
【０００６】
かかる組成物における発色現像主薬の安定性は、一般に、亜硫酸イオンまたは空気酸化の速度を落とす多くの慣用の有機酸化防止剤（即ち、保恒剤）のうちのいずれかを用いて達成されている。例えば、米国特許第４，８９２，８０４号、同第４，８７６，１７４号、同第５，３５４，６４６号、および同第５，６６０，９７４号（全て上記）明細書には、カラー現像組成物において酸化防止剤として使用できる数百の可能なヒドロキシルアミンの誘導体が記載されている。
【０００７】
【特許文献１】
米国特許第４，２５４，２１２号明細書
【特許文献２】
米国特許第４，８７６，１７４号明細書
【特許文献３】
米国特許第４８９２，８０４号明細書
【特許文献４】
米国特許第５，３５４，６４６号明細書
【特許文献５】
米国特許第５，６６０，９７４号明細書
【特許文献６】
米国特許第６，０７７，６５１号明細書
【特許文献７】
欧州特許第１１９１３９５号明細書
【０００８】
【発明が解決しようとする課題】
しかしながら、写真処理業界では、カラー現像組成物、特に濃厚組成物の更なる安定化手段を見出すことが望まれている。また、空気酸化を減らす能力を失うこと無く、多くの理由でヒドロキシルアミン誘導体を含む有機酸化防止剤の量を減らすことが望まれている。よって、本発明では、これらの解決手段を提供することを目的とする。
【０００９】
【課題を解決するための手段】
本発明によれば、ｐＨ７〜１３を有し、そして
ａ）少なくとも０．０００５モル／Ｌの発色現像主薬、および
ｂ）前記発色現像主薬用の保恒剤として、０．０００５〜０．５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つによって表わされる硫黄化合物、
を含んでなる水性写真カラー現像組成物が提供される。
【００１０】
好ましい実施態様によれば、本発明では、ｐＨ８〜１２を有し、そして
ａ）０．００５〜１モル／Ｌの遊離塩基形態での発色現像主薬、
ｂ）０．００００５モル／Ｌ未満のヒドロキシルアミンまたはその誘導体、
ｃ）５０〜２００の分子量を有する水混和性または水溶性のヒドロキシ−置換の直鎖有機溶媒、
ｄ）有機溶媒に可溶性である緩衝剤、
ｅ）０，００５〜０．３モル／Ｌのカルシウムイオン封鎖剤、および
ｆ）発色現像主薬用の保恒剤としての、０．００５〜５モル／Ｌのシステインの１個以上の異性体もしくはその塩酸塩、ホモシステイン、メチオニン、３−メルカプトバリン、２−メルカプトプロピオン酸、３−メルカプトプロピオン酸、３−メルカプト−１−安息香酸、メルカプト酢酸、シスチンの１個以上の異性体もしくはその塩酸塩、メソシスチン、３，３´−ジチオビスバリンもしくはその塩酸塩、２−アミノエタンチオール、２−アミノエタンチオール塩酸塩、３−アミノプロパンチオール塩酸塩、または適当なそれらのカルボキシレート塩、
を含む、濃厚で、水性の、一液形カラー現像組成物が提供される。
【００１１】
また、本発明によれば、上記問題に対処するため、
（Ｉ）ｐＨ９〜１４を有する第１の水溶液、および
（ＩＩ）ｐＨ３〜７を有し、そして
（ａ）少なくとも０．００５モル／Ｌの発色現像主薬、および
（ｂ）少なくとも０．００１モル／Ｌの亜硫酸イオン、
を含む第２の水溶液を含み、
第１または第２の水溶液に、０．００５〜５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つで表わされる硫黄化合物、
を更に含んでなる、二液形カラー現像キットが提供される。
【００１２】
更にまた、本発明によれば、Ａ）上記第１および第２の水溶液を、第２の水溶液に対する第１の水溶液の容積比が２：１〜１：２であるように混合すること、および
Ｂ）第１の水溶液が少なくとも２倍に、そして第２の水溶液が少なくとも２倍に希釈されるように、同時または逐次的に、第１および第２の水溶液を水で希釈すること、
を含む、上記二液形カラー現像キットから作業濃度のカラー現像組成物を調製する方法が提供される。
【００１３】
更に、本発明によれば、（Ｉ）ｐＨ９〜１３を有する第１の水溶液、
（ＩＩ）ｐＨ１〜４を有し、そして
（ａ）少なくとも０．００５モル／Ｌの発色現像主薬、および
（ｂ）少なくとも０．００１モル／Ｌの亜硫酸イオン
を含む第２の水溶液、および
（ＩＩＩ）ｐＨ１０〜１３．５を有する第３の水溶液
を含み、
第１、第２または第３の水溶液に、０．００５〜５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つで表わされる硫黄化合物、
を更に含んでなる、三液形カラー現像キットが提供される。
【００１４】
また、本発明によれば、
Ａ）上記第１、第２および第３の水溶液を、第２の水溶液に対する第１の水溶液の容積比が１：１〜１．５：１、第３の水溶液に対する第１の水溶液の容積比が１：１〜１．５：１、そして第３の水溶液に対する第２の水溶液の容積比が１：１〜１．５：１であるように混合すること、および
Ｂ）第１の水溶液が少なくとも８倍、第２の水溶液が少なくとも１０倍、そして第３の水溶液が少なくとも１０倍に希釈されるように、同時または逐次的に、第１、第２および第３の水溶液を水で希釈すること、
を含む、上記三液形カラー現像キットから作業濃度のカラー現像組成物を調製する方法が提供される。
【００１５】
更に、本発明によれば、ｐＨ７〜１３を有し、そして
ａ）少なくとも０．００５モル／Ｌの発色現像主薬、および
ｂ）前記発色現像主薬用の保恒剤として、０．００５〜５モル／Ｌの以下の構造Ｉ、ＩＩ、ＩＩＩ、およびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つによって表わされる硫黄化合物、
を含む水性写真カラー現像組成物とカラー写真ハロゲン化銀要素とを接触させることを含んでなる、カラー写真ハロゲン化銀要素にカラー画像を形成させる方法が提供される。
【００１６】
【発明の実施の形態】
カラー写真ハロゲン化銀要素にカラー画像を形成する方法には、当該要素を、上記した水性カラー現像組成物を少なくとも２倍に希釈することによって調製された水性作業濃度のカラー現像組成物と接触させることが含まれる。
【００１７】
更に、写真の処理方法には、工程：
Ａ）像様露光したカラー写真ハロゲン化銀要素を、発色現像主薬とその発色現像主薬用の保恒剤としての硫黄化合物とを含む写真カラー現像組成物でカラー現像すること、ここで、当該保恒剤は、以下の構造Ｉ、ＩＩ、ＩＩＩおよびＩＶ：
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基であり、Ｒ１は、フェニレンまたは１〜２個の炭素原子を有する非置換アルキレンであり、Ｒ２は、少なくとも２個の炭素原子を有し、かつ−ＣＨ（ＮＨＲ３）−ＣＯＯＭ２　または−（Ｃ１〜Ｃ３）アルキレン−ＣＨ（ＮＨＲ３）−ＣＯＯＭ２基を含む一価の脂肪族基であり、Ｒ３は、水素、１〜３個の炭素原子を有するアルキル基またはフェニルであり、Ｒ４は、アルキレン基、シクロへキシレン基、またはフェニレン基であり、そしてＭ１およびＭ２は、独立して、水素、アルカリ金属イオンもしくはアンモニウムイオン、またはメチル基である、
の一つによって表わされる、および
Ｂ）当該カラー現像されたカラー写真ハロゲン化銀要素を脱銀すること、
が含まれる。
【００１８】
本発明のカラー現像組成物は、現在利用され、当該分野で知られるカラー現像組成物を超える多くの利点を与える。本発明の濃厚なおよび作業濃度の組成物は、本明細書に記載した構造Ｉ、ＩＩ、ＩＩＩ、またはＩＶにより定義され、発色現像主薬用の保恒剤として働く硫黄化合物保恒剤の存在で安定化される。このことは、発色現像主薬の薬剤損失（分解）が減少することを意味する。更に、いくつかの実施態様では、組成物の安定性を犠牲にすること無く、ヒドロキシルアミン誘導体のような慣用の有機酸化防止剤の量を減少し、あるいは除外することができる。これによって、臭気または成分コストを減らすことが可能になる。他の実施態様では、硫黄化合物保恒剤と慣用のヒドロキシルアミン酸化防止剤との併用によって、相乗効果が観察される。
【００１９】
一つの実施態様では、本発明のカラー現像組成物は、一液形濃厚物のような水性濃厚物として配合されてよく、これは、次いで、水または緩衝液で少なくとも２倍（好ましくは、少なくとも４倍）に希釈されて、作業濃度のカラー現像組成物とされる。これに代えて、本発明の作業濃度の組成物は、所望成分の全てを所望の順序で、作業濃度の濃度で混合することによって調製されてもよい。更に繰り返すと、本発明では、必須および任意成分を種々の「パート」、即ち溶液で含まれる（濃厚か、あるいは希釈されて）、二液形または三液形のカラー現像キットとして提供されてもよい。
【００２０】
より詳しくは、本発明のカラー現像組成物には、処理材料中の色素形成カラーカプラーと酸化された形態で反応する、当該分野で周知の一種以上の発色現像主薬が含まれる。かかる発色現像主薬には、欧州特許第０４３４０９７号（１９９１年６月２６日発行）および同第０５３０９２１号（１９９３年３月１０日発行）明細書に記載されるような、アミノフェノール、ｐ−フェニレンジアミン（特に、Ｎ，Ｎ−ジアルキル−ｐ−フェニレンジアミン）および当該分野で周知なその他のものが含まれるが、これらに限定されない。
【００２１】
好ましい発色現像主薬には、Ｎ，Ｎ−ジエチル−ｐ−フェニレンジアミンスルフェート（ＫＯＤＡＫ　発色現像主薬　ＣＤ−２）、４−アミノ−３−メチル−Ｎ−（２−メタンスルホンアミドエチル）アニリンスルフェート、４−（Ｎ−エチル−Ｎ−β−ヒドロキシエチルアミノ）−２−メチルアニリンスルフェート（ＫＯＤＡＫ　発色現像主薬　ＣＤ−４）、ｐ−ヒドロキシエチルエチルアミノアニリンスルフェート、４−（Ｎ−エチル−Ｎ−２−メタンスルホニルアミノエチル）−２−メチルフェニレンジアミンセスキスルフェート（ＫＯＤＡＫ　発色現像主薬　ＣＤ−３）、４−（Ｎ−エチル−Ｎ−２−メタンスルホニルアミノエチル）−２−メチルフェニレンジアミンセスキスルフェート、および当業者に容易に明らかな他のものが含まれるが、これに限定されない。
【００２２】
写真カラー印画紙を処理するために有用であることがある濃厚組成物の好ましい実施態様では、発色現像主薬（例えば、ＫＯＤＡＫ　発色現像主薬　ＣＤ−３）は、米国特許第６，０７７，６５１号（上記）明細書に記載されるような「遊離塩基形態」で用いられる。
【００２３】
現像組成物には、発色現像主薬用の安定化剤、即ち保恒剤としての１種以上の硫黄含有化合物が含まれる。これらの化合物は、以下の構造Ｉ、ＩＩ、ＩＩＩ、またはＩＶのいずれかで表わされる。
Ｍ１Ｓ−Ｒ−ＣＨ（ＮＨ２）−ＣＯＯＭ２　　　　　（Ｉ）
Ｍ１Ｓ−Ｒ１−ＣＯＯＭ２　　　　　　　　　　　（ＩＩ）
Ｒ２−Ｓ−Ｓ−Ｒ２　　　　　　　　　　　　　（ＩＩＩ）
Ｒ３ＨＮ−Ｒ４−ＳＭ１　　　　　　　　　　　　（ＩＶ）
式中、Ｒは、鎖中に少なくとも１個の炭素原子を有する二価の脂肪族結合基である。代表的な二価の脂肪族結合基には、２〜１０個の炭素原子を有する置換もしくは非置換のアルキレン基（線状もしくは分枝状の）、置換もしくは非置換のフェニレン基、または置換もしくは非置換のシクロへキシレン基が含まれるが、これらに限定されない。好ましくは、Ｒは、１〜４個の炭素原子を有する置換もしくは非置換のアルキレンであり、そしてより好ましくは、Ｒは、メチレンまたはエチレンである。
【００２４】
Ｒ１は、置換もしくは非置換のフェニレン、または１〜２個の炭素原子を有する非置換のアルキレン基である。Ｒ１がフェニレンである場合には、そのメルカプト基およびカルボキシ基は、好ましくは１，３−位または１，４−位にある。より好ましくは、Ｒ１は、２個の炭素原子を有する非置換アルキレンである。
【００２５】
Ｒ２は、少なくとも２個の炭素原子を有する一価の脂肪族基であり、かつ、−ＣＨ（ＮＨＲ３）−ＣＯＯＭ２または−（Ｃ１〜Ｃ３）アルキレン−ＣＨ（ＮＨＲ３）−ＣＯＯＭ２基（ここで、Ｃ１〜Ｃ３のアルキレン部分には、置換もしくは非置換の線状もしくは分枝状のアルキレン基が含まれてもよい）を含む。代表的なＲ２の一価脂肪族基には、上記Ｒで定義された同じタイプの基が含まれる。好ましくは、Ｒ２は、１〜４個の炭素原子を有する置換もしくは非置換のアルキルであり、そしてより好ましくは、Ｒ２は、メチルまたはエチルである。
【００２６】
Ｒ３は、水素、１〜４個の炭素原子を有する置換もしくは非置換のアルキル基またはフェニルであり、そして好ましくは、Ｒ３は、メチルまたはエチルである。
【００２７】
Ｒ４は、１〜４個の炭素原子を有する置換もしくは非置換のアルキレン基（線状もしくは分枝状の）、置換もしくは非置換のシクロへキシレン基、または置換もしくは非置換のフェニレン基である。好ましくは、Ｒ４は、１〜３個の炭素原子を有する置換もしくは非置換のアルキレン基であり、そしてより好ましくは、エチレンである。
【００２８】
Ｍ１およびＭ２は、独立して、水素、アルカリ金属イオンもしくはアンモニウムイオン、またはメチル基であり、そして好ましくは、Ｍ１は、水素であり、Ｍ２は、水素またはアルカリ金属イオンである。
【００２９】
上記構造における一価または二価の脂肪族基には、窒素、硫黄または酸素原子を含む一価以上の基で遮断される炭素原子鎖が含まれてよい。
【００３０】
構造Ｉの代表的な保恒剤には、システイン（ＤもしくはＬ）およびその塩酸塩、ホモシステイン、メチオニン、３−メルカプトバリンおよびそのカルボキシレート塩が含まれる。Ｌ−システインおよびＬ−システイン塩酸塩は、この群の化合物において好ましい。また、立体異性体の混合物（可能な場合）が使われてもよい。
【００３１】
構造ＩＩの代表的な保恒剤には、２−メルカプトプロパノン酸、３−メルカプトプロパノン酸、３−メルカプト−１−安息香酸、メルカプト酢酸、およびそれらのカルボキシレート塩が含まれる。
【００３２】
構造ＩＩＩの代表的な保恒剤には、シスチン（ＤもしくはＬ）、メソシスチン、３，３´−ジチオビスバリンまたはその塩酸塩、およびそれらのカルボキシレート塩が含まれる。立体異性体の混合物が、可能の場合には使用されてよい。
【００３３】
構造ＩＶの代表的な保恒剤には、２−アミノエタンチオール、２−アミノエタンチオール塩酸塩および３−アミノプロパンチオール塩酸塩が含まれる。
【００３４】
よって、本発明に有用な好ましいグループの保恒剤には、１種以上のシステインの異性体またはその塩酸塩、ホモシステイン、メチオニン、３−メルカプトバリン、２−メルカプトプロピオン酸、３−メルカプトプロピオン酸、３−メルカプト−１−安息香酸、メルカプト酢酸、１種以上のシスチンの異性体またはその塩酸塩、メソシスチン、３，３´−ジチオビスバリンまたはその塩酸塩、２−アミノエタンチオール、２−アミノエタンチオール塩酸塩、３−アミノプロパンチオール塩酸塩、またはそれらの適当なカルボキシレート塩が含まれる。
【００３５】
これらのうち、システインまたはシスチンの１種以上の異性体、またはそれらの塩が最も好ましい。
【００３６】
構造Ｉ〜ＩＶのいずれかのこれら保恒剤の混合物が、所望の場合には使用されてもよい。本発明の多液性のカラー現像キットでは、保恒剤は、種々の「パート」、即ち溶液のいずれかあるいは全てに含まれてよい。好ましくは、それらは、発色現像主薬を含む「パート」中に含まれる。
【００３７】
また、カラー現像組成物には、亜硫酸ナトリウム、亜硫酸カリウム、重亜硫酸ナトリウム、およびピロ亜硫酸カリウムから与えられる亜硫酸イオンが含まれる。
【００３８】
前記した硫黄化合物の保恒剤を用いて、慣用の有機保恒剤、即ち酸化防止剤（例えば、ヒドキシルアミンおよびその誘導体）の存在を減らすか、あるいは除くことができる。よって、当該組成物には、０．００００５モル／Ｌ未満のかかる化合物しか存在しないことを意味するが、実質的に、かかる慣用の酸化防止剤は含まれない。しかしながら、かかる慣用の酸化防止剤が完全に存在しないことを、必要としてはいない。かかる慣用の有機酸化防止剤には、一般に、ヒドロキシルアミン（およびその誘導体）、ヒドラジン、ヒドラジド、アミノ酸、アスコルビン酸（およびその誘導体）、ヒドロキシム酸、アミノケトン、単糖および多糖、モノアミンおよびポリアミン、４級アンモニウム塩、ニトロキシラジカル、アルコール、およびオキシムが含まれる。
【００３９】
緩衝剤は、一般に、本発明のカラー現像組成物中に存在して、所望のアルカリ性のｐＨ７〜１３、好ましくは８〜１２、そしてより好ましくは９〜１１を与え、または維持する。これらの緩衝剤は、好ましくは、上記した有機溶媒に可溶性であり、そしてｐＫａ９〜１３を有する。かかる有用な緩衝剤には、炭酸塩、硼酸塩、四硼酸塩、グリシン塩、トリエタノールアミン、ジエタノールアミン、リン酸塩およびヒドロキシベンゾエートが含まれるが、これらに限定されない。
【００４０】
本発明のカラー現像組成物（特に、ＫＯＤＡＫ　発色現像主薬　ＣＤ−３を含有する「一液形」組成物）に選択的であるが好ましい成分は、写真的に不活性で、水混和性または可溶性の、直鎖の有機溶媒であり、これは、その遊離塩基形態で発色現像主薬を溶解させることが可能である。かかる有機溶媒は、単独でまたは組み合わせて使用でき、そして好ましくは、それぞれが少なくとも５０の、好ましくは１００の、そして一般には、２００未満の、好ましくは１５０未満の分子量を有する。当該有機溶媒は、少なくとも１個のヒドロキシ官能基で、そして好ましくは、少なくとも２個のかかる基で置換される。それらは、直鎖分子であり、環状分子ではない。
【００４１】
有用な有機溶媒には、グリコール（例えば、エチレングリコール、ジエチレングリコールおよびトリエチレングリコール）を含むポリオール、ポリヒドロキシアミン（ポリアルコールアミンを含む）、およびアルコール（例えば、エタノールおよびベンジルアルコール）が含まれるが、これらに限定されない。グリコールは、エチレングリコールが好ましく、ジエチレングリコールおよびトリエチレングリコールが最も好ましい。アルコールのうち、エタノールおよびベンジルアルコールが最も好ましい。最も好ましい有機溶媒は、ジエチレングリコールである。
【００４２】
本発明のカラー現像組成物のその他の選択的で好ましい成分は、ポリカルボン酸またはポリアミノポリホスホン酸（またはそれらの塩）のようなカルシウムイオン封鎖剤である。これら化合物の混合物も、使用することができる。
【００４３】
ホスホン酸金属イオン封鎖剤は、当該分野で周知であり、例えば、米国特許第４，５９６，７６５号（上記）明細書および　Ｒｅｓｅａｒｃｈ　Ｄｉｓｃｌｏｓｕｒｅ　刊行物、第１３４１０項（１９７５年６月）、同第１８８３７項（１９７９年１２月）、および同第２０４０５項（１９８１年４月）に記載されている。
【００４４】
特に有用なホスホン酸は、以下に記載するジホスホン酸（およびその塩）およびポリアミノポリホスホン酸（およびその塩）である。これら種類の１種以上の化合物を組み合わせて用いることが好ましい。有用なジスルホン酸には、ヒドロキシアルキリデンジホスホン酸、アミノジホスホン酸、アミノ−Ｎ，Ｎ−ジメチレンホスホン酸、およびＮ−アシルアミノジホスホン酸が含まれる。
【００４５】
特に有用なポリホスホン酸（およびその塩）は、少なくとも５個のホスホン酸（または塩）基を有する化合物（明細書中の「第１カルシウムイオン封鎖剤」）である。かかる化合物の混合物は、所望の場合に使用されてよい。好適な塩には、アンモニウムイオン塩およびアルカリ金属イオン塩が含まれる。
【００４６】
かかる性質の好ましい化合物は、以下の構造Ｖによって表わされる。
【化１】
2004078197.tif 000002
式中、Ｌ、Ｌ´、Ｌ１、Ｌ２、Ｌ３、Ｌ４およびＬ５は、独立して、置換もしくは非置換の二価の脂肪族結合基であって、それぞれは、独立して、１〜４個の炭素、酸素、硫黄または窒素原子を結合基鎖中に有する。好ましくは、これらの置換もしくは非置換の二価の結合基は、１〜４個の原子を結合基鎖（例えば、置換もしくは非置換の分枝状または線状のアルキレン基）中に有する。より好ましくは、二価の結合基は、独立して、置換もしくは非置換のメチレンまたはエチレンである。最も好ましくは、ＬおよびＬ′は、それぞれが置換もしくは非置換のエチレン（好ましくは、非置換）であり、そして他の結合基のそれぞれは、非置換のメチレン基である。Ｍは、水素または一価のカチオン（例えば、アンモニウム塩またはアルカリ金属塩）である。
【００４７】
前記した二価の基は、金属イオン封鎖剤の所望の特性に影響を与えない、あるいはカラー現像組成物の写真特性に影響を与えないいかなる置換基で置換されてもよい。かかる置換基には、ヒドロキシ、スルホ、カルボキシ、ハロ、低級アルコキシ（１〜３個の炭素原子）またはアミノが含まれるが、これらに限定されない。
【００４８】
特に好ましい第１のカルシウムイオン封鎖剤は、ジエチレントリアミンペンタメチレンホスホン酸またはそれらのアルカリ金属塩（Ｓｏｌｕｔｉａ　社　から　ＤＥＱＵＥＳＴ（商品名）２０６６　として入手可能）である。
【００４９】
更にその他の選択的であるが好ましいカルシウムイオン封鎖剤は、ジホスホン酸（またはその塩）であり、本明細書中では、「第２のカルシウムイオン封鎖剤」という。
【００５０】
有用な一種の第２のカルシウムイオン封鎖剤には、ヒドロキシアルキリデンジホスホン酸（またはその塩）が含まれる。かかる化合物の混合物も、所望の場合に使用できる。有用な塩には、アンモニウムイオン塩およびアルカリ金属イオン塩が含まれる。
【００５１】
好ましいヒドロキシアルキリデンジホスホン酸（またはその塩）は、以下の構造ＶＩによって表わされる。
【化２】
2004078197.tif 000003
式中、Ｒ５は、１〜５個の炭素原子を有する置換もしくは非置換のアルキル基（メチル、メトキシメチル、エチル、イソプロピル、ｎ−ブチル、ｔ−ブチルおよびｎ−ペンチル）であり、Ｍは、水素または一価のカチオン（例えば、アンモニウムイオンまたはアルカリ金属イオン）である。好ましくは、Ｒ５は、メチルまたはエチルであり、そして最も好ましくは、それはエチルである。
【００５２】
この種類の代表的な第２のカルシウムイオン封鎖剤には、１−ヒドロキシエチリデン−１，１−ジホスホン酸、１−ヒドロキシ−ｎ−プロピリデン−１，１−ジホスホン酸、１−ヒドロキシ−２，２−ジメチルプロピリデン−１，１−ジホスホン酸および当業者に容易に明らかな他のもの（およびそれらのアルカリ金属塩およびアンモニウム塩）が含まれるが、これらに限定されない。第１の化合物が最も好ましく、ＤＥＱＵＥＳＴ（商品名）２０１０　として入手可能であり、そしてその四ナトリウム塩は、ＤＥＱＵＥＳＴ（商品名）２０１６Ｄ　として、両者とも　Ｓｏｌｕｔｉａ　社から入手可能である。
【００５３】
その他の有用な第２のカルシウムイオン封鎖剤は、モルホリノメタンジホスホン酸またはその塩であり、これは、Ｂｕｄｅｎｈｅｉｍ　社（独国）から　ＢＵＤＥＸ（商品名）５１０３　として入手可能である。これおよび同様の環状アミノジスルホン酸（およびその塩）は、米国特許第４，８７３，１８０号（Ｍａｒｃｈｅｓａｎｏ　等）明細書に記載されている。
【００５４】
以下の表ＩおよびＩＩには、本発明のカラー現像組成物（それぞれ、濃厚物および作業濃度の組成物）の必須なおよびいくつかの選択的成分についての一般的な量および好ましい量を記載している。好ましい範囲は、カッコ（）内に記載されているが、その範囲の全ては、上限および下限における略、即ち「約」と考えられたい。カラー現像時に、その実際の濃度は、前の処理浴からの蒸発およびキャリオーバーや次の処理浴へのキャリオーバーによる、当該組成物における抽出薬剤、補充速度、水の減量によって変えることができる。以下の量は、混合物に存在できる種々な成分の全体の濃度である。
【００５５】
【表１】
2004078197.tif 000004
【００５６】
【表２】
2004078197.tif 000005
【００５７】
前記表ＩおよびＩＩは、ポリホスホン酸である第１および第２のカルシウムイオン封鎖剤に係る濃度を示しているが、他のカルシウムイオン封鎖剤（例えば、ポリカルボン酸）が同じ量または慣用の量で有用であることは、当業者に理解できることである。
【００５８】
以下の表ＩＩＩ、ＩＶおよびＶは、本発明の三液形カラー現像組成物用の一般的な濃度および好ましい濃度を示している。好ましい範囲は、カッコ（）内に記載されているが、その範囲の全ては、上限および下限における略、即ち「約」と考えられたい。カラー現像時に、その実際の濃度は、前の処理浴からの蒸発およびキャリオーバーや次の処理浴へのキャリオーバーによる、当該組成物における抽出薬剤、補充速度、水の減量によって変えることができる。以下の量は、混合物に存在できる種々な成分の全体の濃度である。
【００５９】
【表３】
2004078197.tif 000006
【００６０】
【表４】
2004078197.tif 000007
【００６１】
【表５】
2004078197.tif 000008
【００６２】
以下の表ＶＩおよびＶＩＩは、本発明の二液形カラー現像キットに使われる第１および第２の水溶液の必須なおよびいくつかの選択的成分についての一般的な量および好ましい量を挙げている。好ましい範囲は、カッコ（）内に記載されているが、その範囲の全ては、上限および下限における略、即ち「約」と考えられたい。カラー現像時に、その実際の濃度は、前の処理浴からの蒸発およびキャリオーバーや次の処理浴へのキャリオーバーによる、当該組成物における抽出薬剤、補充速度、水の減量によって変えることができる。以下の量は、混合物に存在できる種々な成分の全体の濃度である。
【００６３】
【表６】
2004078197.tif 000009
【００６４】
【表７】
2004078197.tif 000010
【００６５】
本発明のカラー現像組成物は、支持体および像様分布の現像可能なハロゲン化銀乳剤粒子を含有する一層以上のハロゲン化銀乳剤層を含む像様露光されたカラー写真ハロゲン化銀要素に、カラー現像を与えるという有用性を有している。種々なタイプの乳剤を有する広範な種類の写真要素（カラーネガおよびカラーリバーサル共用のフィルムおよび印画紙、およびカラー動画用フィルムおよびプリント）は、本発明を用いて処理することができ、当該要素のタイプは、当該分野において周知である（上記した　Ｒｅｓｅａｒｃｈ　Ｄｉｓｃｌｏｓｕｒｅ　刊行物、第３８９５７項を参照のこと）。特に、本発明を用いて、いわゆる「高塩化物」および「低塩化物」タイプの乳剤、並びに、いわゆる平板状粒子乳剤をも含むあらゆるタイプの乳剤からなるカラー写真印画紙を処理することが可能である。また、このカラー現像組成物は、カラーリバーサルフィルムおよびカラーネガフィルムの処理にも使用することが可能である。
【００６６】
本発明のいくつかの実施態様では、特に、カラー写真印画紙における高塩化物（全銀に対して、７０モル％を超える塩化物、そして好ましくは９０モル％を超える塩化物）乳剤を処理するのに有用である。
【００６７】
像様露光された写真ハロゲン化銀要素のカラー現像は、当該要素を、好適な処理装置内で、好適な時間および温度の下に、本発明のカラー現像組成物と接触させて、所望の現像カラー画像を得ることによって実施される。次いで、更なる処理工程が、当該分野で知られる特定の所望の順序で、一以上のカラー現像の停止、漂白、定着、漂白／定着、洗浄（即ち、水洗）、安定化および乾燥工程を含むがこれに限定されない慣用の手順を用いて実施されてよい。有用な処理工程、そのために有効な条件および材料は、カラーネガフィルム用の慣用のプロセスＣ−４１処理、カラー印画紙用のプロセスＲＡ−４処理およびカラーリバーサルフィルム用のプロセスＥ−６処理（例えば、上記したＲｅｓｅａｒｃｈ　Ｄｉｓｃｌｏｓｕｒｅ　刊行物、第３８９５７項を参照のこと）を含む種々な処理指針に関して周知である。
【００６８】
本発明による処理は、処理溶液を保有する慣用の深型タンクを用いて行なうことができる。それに代えて、「小容量の薄型タンク」処理方式、即ち、ラックとタンクまたは自動トレー設計のいずれかを有するＬＶＴＴ、として当該分野で知られているものを用いて実施してもよい。これらの処理機は、時には、「ミニラボ」として知られているものに含まれることがある。かかる処理法および装置は、例えば、米国特許第５，４３６，１１８号（Ｃａｒｌｉ　等）明細書および前記刊行物に記載されている。いくつかのミニラボ処理機は、Ｎｏｒｉｔｓｕ　２２１１ＳＭ　プリンター／印画紙処理機、Ｎｏｒｉｔｓｕ　２１０２ＳＭ　プリンター／印画紙処理機および　Ｎｏｒｉｔｓｕ　２３０１ＳＭ　プリンター／印画紙処理機として市販されている。
【００６９】
カラー現像は、一般に、引き続いて、別個の漂白および定着工程、あるいは好適な銀漂白剤および定着剤を使用する併用漂白／定着工程を用いて脱銀される。
【００７０】
本発明の各処理工程に用いられる処理時間および温度は、一般に当該分野で慣用的に使用されているものである。例えば、カラー現像は、一般に、２０〜６０℃の温度で実施される。その全体のカラー現像時間は、４０分迄であればよく、そして好ましくは、７５〜４５０秒である。より短い全体のカラー現像時間が、カラー写真印画紙を処理するために望まれている。慣用の条件が、脱銀および水洗／安定化を含む他の処理工程に用いられてもよい。
【００７１】
本発明のカラー現像組成物は、作業濃度の溶液として、あるいは補充液として用いられてもよい。それに代えて、本発明の濃厚組成物は、少なくとも二倍（つまり、１容量の水または緩衝液に対して１容量の組成物）に、そして好ましくは、少なくとも４倍、更に８倍まで希釈されて、作業濃度の溶液または補充液とされてもよい。
【００７２】
【実施例】
以下の実施例は、本発明の実施について説明するために提供されるが、これによっていかなる意味でも本発明が限定されて解釈されてはならない。他に指示がない限り、パーセントは、重量基準である。
【００７３】
実施例１：カラー現像組成物およびエアレーションの検討
本発明の作業濃度のカラー現像組成物を、以下の表ＶＩＩＩに（対照組成物と共に）示される成分および量を有するカラー現像組成物にＬ−システイン塩酸塩を加えることによって調製した。対照Ａ組成物は、ヒドロキシルアミンスルフェートは含有するがＬ−システイン塩酸塩を含有しない、大きなタンクのカラー現像組成物である。対照Ｂ組成物は、同様であるが、ヒドロキシルアミン誘導体を省いた。全ての組成物を調製し、これを解放のガラス容器内で、室温下３２５ｍＬ／分の加速酸化条件下で追試しながら監視した。蒸発による容量の減少は、定期的に脱イオン水を添加して補償した。当該組成物は、残留発色現像主薬の量およびｐＨ変化に関して定期的に分析した。これらの測定結果を、以下の表ＩＸに示す。組成物の安定性および不安定性は、ＫＯＤＡＫ　発色現像主薬　ＣＤ−４　における減量（即ち、発色現像主薬の活性の減少）によって明白である。
【００７４】
【表８】
2004078197.tif 000011
【００７５】
【表９】
2004078197.tif 000012
【００７６】
これらの結果は、Ｌ−システインを含む本発明のカラー現像組成物は、ヒドロキシルアミンスルフェートを含む標準組成物（対照Ａ）並びにそれからこの慣用の酸化防止剤を除いた組成物（対照Ｂ）よりも一層安定であることを示している。実施例１の組成物は、保管時にほんの僅かのｐＨ増加を示した。
【００７７】
実施例２：パートＡに保恒剤をもつ三液形カラー現像キット
本発明の三液形カラー現像キットは、三つの別個のパートにおける以下の成分を用いて配合した。
【表１０】
2004078197.tif 000013
【００７８】
溶液Ａ、Ｂ、およびＣのそれぞれを、水で１リットルに希釈した。仮に、パートＣにおいて、ＤＥＱＵＥＳＴ（商品名）２０１０　金属イオン封鎖剤に代えて、ＤＥＱＵＥＳＴ（商品名）２０６６　金属イオン封鎖剤を用いるならば、硫酸リチウムおよび硫酸マグネシウムが除かれてもよい。略４６．５ｍＬのパートＡ、２３．０ｍＬのパートＢ、および６６．７ｍＬのパートＣを混合、希釈して、１ＬのｐＨ１０．１７を有する本発明の作業濃度のカラー現像液とした。
【００７９】
実施例３：パートＢに保恒剤をもつ三液形カラー現像キット
本発明のこの実施態様では、硫黄化合物保恒剤を、パートＢ溶液に配合した。三つのパートは、以下の成分を有していた。
【表１１】
2004078197.tif 000014
【００８０】
略４６．５ｍＬのパートＡ、２３．０ｍＬのパートＢ、および６６．７ｍＬのパートＣを混合、希釈して、１ＬのｐＨ１０．２を有する本発明の作業濃度のカラー現像液とした。
【００８１】
実施例４：パートＣに保恒剤をもつ三液形カラー現像キット
本発明のこの実施態様では、硫黄化合物保恒剤を、パートＣ溶液に配合した。三つのパートは、以下の成分を有していた。
【表１２】
2004078197.tif 000015
【００８２】
パートＢにおける硫酸リチウムおよび硫酸マグネシウムは、選択的である。
略４６．５ｍＬのパートＡ、２３．０ｍＬのパートＢ、および６６．７ｍＬのパートＣを混合、希釈して、１ＬのｐＨ１０．２を有する本発明の作業濃度のカラー現像液とした。
【００８３】
実施例５：カラー印画紙の処理
ＫＯＤＡＫ　Ｅｄｇｅ　８　カラー印画紙のサンプルを、慣用の１Ｂ感光計にＨＡ−５０、ＮＰ−１１のフィルター、および０．３のインコネルを備えた１／１０秒での階段光学楔を用いて供試体濾光に付した。次いで、サンプルを、実施例２の三液形キットの３液を混合して得たカラー現像組成物を用いて処理した。処理は、以下のような慣用の　ＥＫＴＡＣＯＬＯＲ　処理　ＲＡ−４　の条件および工程を用いて深型タンク処理機内で実施した。
カラー現像　　　　　　３８℃　　　　　　　４５秒
漂白／定着　　　　　　３５℃　　　　　　　４５秒
洗浄／安定化　　　　　３５℃　　　　　　　９０秒
漂白／定着は、市販の　ＫＯＤＡＫ　ＥＫＴＡＣＯＬＯＲ　最高級漂白／定着液を用いて行い、洗浄工程は、ＫＯＤＡＫ　ＥＫＴＡＣＯＬＯＲ　最高級安定化剤を用いて行なった。処理後、カラー印画紙サンプルを、周囲の温度下で大気中に放置して乾燥した。サンプルの全てにおいて、所望のカラー画像が得られた。
【００８４】
実施例６：二液形カラー現像キット
本発明の二液形カラー現像キットを、以下の二液を用いて調製した。
【表１３】
2004078197.tif 000016
【００８５】
この実施例では、略１２５ｍＬのパートＡおよび１２５ｍＬのパートＢを混合、希釈して、１Ｌの作業濃度の現像組成物とした。最終組成物のｐＨは、１０．７６であった。
得られたカラー現像組成物を、実施例５に記載したような深型タンクの慣用のＲＡ−４処理における市販の　ＫＯＤＡＫ　ＥＫＴＡＣＯＬＯＲ　Ｅｄｇｅ　８　カラー印画紙サンプルの像様露光したサンプルのカラー現像に使用した。所望のカラー画像が得られた。
【００８６】
実施例７：代替二液形カラー現像キット
本発明のその他の二液形キットを、Ｌ−システイン（４８．４ｇ／Ｌ）をパートＢに配合したことを除いて、実施例６に記載される方法と同様にして調製した。次いで、二液を同様に混合、希釈して、ＫＯＤＡＫ　ＥＫＴＡＣＯＬＯＲ　Ｅｄｇｅ　ＶＩＩＩ　カラー印画紙のサンプルにカラー画像を得るために使用した。
【００８７】
実施例８〜９：カラー現像組成物
慣用のＫＯＤＡＫ　ＥＫＴＡＣＯＬＯＲ（商品名）最高級ＲＡカラー現像液および補充液（対照Ｃ）を、Ｎ，Ｎ−ジエチルヒドロキシルアミンを減量した同様な組成物（対照Ｄ）および本発明の二つの組成物と比較した。各組成物の成分を、以下の表Ｘに示す。当該組成物を室温で空気酸化して、残留発色現像主薬の量、ヒドロキシルアミン誘導体およびｐＨ変化に関して定期的に監視した。組成物の安定性および不安定性は、発色現像主薬の減量（即ち、発色現像主薬の活性の減少）およびヒドロキシルアミン誘導体の減量（酸化防止剤の活性の減少）によって明らかである。これら測定の結果は、以下の表ＸＩおよびＸＩＩに示す。
【００８８】
【表１４】
2004078197.tif 000017
【００８９】
【表１５】
2004078197.tif 000018
【００９０】
【表１６】
2004078197.tif 000019
【００９１】
これらの実施例は、Ｎ，Ｎ−ジエチルヒドロキシルアミン酸化防止剤の慣用量の１／８をもつ対照Ｄは、標準の　ＫＯＤＡＫ　ＥＫＴＡＣＯＬＯＲ　ＲＡ　最高級カラー現像液（対照Ｃ）よりも安定性が低いことを示している。０．１モル／ＬのＬ−システインが存在すると、安定性を増加し、そしてＬ−システインと慣用の酸化防止剤Ｎ，Ｎ−ジエチルヒドロキシルアミンのそれぞれを組み合わせると、相乗的にカラー現像組成物の安定性が改善することが分る。更に、表ＸＩＩは、また、Ｌ−システインがカラー現像組成物におけるヒドロキシルアミン誘導体の安定性も改善していることを示している。ｐＨの僅かな増加が、Ｌ−システインを含む組成物で観察された。
【００９２】
実施例１０：安定な一液形カラー現像組成物
本発明の一液形濃厚カラー現像組成物を、以下の表ＸＩＩＩに示す成分を用いて調製し、標準の　ＥＫＴＡＣＯＬＯＲ　最高級ＳＰカラー印画紙現像液と比較した。これらの組成物を、実施例１に記載したように、加速した酸化の下で監視し、残留発色現像主薬およびｐＨ変化を監視した。その結果を、以下の表ＸＩＶに示す。
【００９３】
【表１７】
2004078197.tif 000020
【００９４】
【表１８】
2004078197.tif 000021
【００９５】
これらの結果は、ジエチレングリコールおよびホスホン酸金属イオン封鎖剤を含有する濃厚な一液形環境では、また、Ｌ−システイン塩酸塩も、僅かなｐＨ変化を伴って、カラー現像組成物の安定性を改善することを示している。
【００９６】
実施例１１〜１３：更なる硫黄化合物保恒剤の効果
本発明の濃厚な一液形組成物における三種類の更なる保恒剤の効果を、比較した。以下の表ＸＶに示す組成物を室温で空気酸化し、残留発色現像主薬の量、Ｎ，Ｎ−ジエチルヒドロキシルアミン酸化防止剤、およびｐＨ変化に関して、定期的に監視した。これらの測定結果を、以下の表ＸＶＩおよびＸＶＩＩに示す。
【００９７】
【表１９】
2004078197.tif 000022
【００９８】
【表２０】
2004078197.tif 000023
【００９９】
【表２１】
2004078197.tif 000024
【０１００】
これらの結果は、３種の硫黄化合物保恒剤は、慣用のヒドロキシルアミン誘導体の存在下で、組成物の安定性に相乗的な改善を与えることを示している。更に、ヒドキシルアミンおよびｐＨの改善された安定性も、観察された。
【０１０１】
実施例１４：ヒドロキシルアミン誘導体が存在しない一液形濃厚物
第１の溶液を、以下の成分を用いて調製した。
【表２２】
2004078197.tif 000025
【０１０２】
この溶液を、水酸化カリウム（４７％）でｐＨ１２．５にまで上げ、次いで濾過した。以下の第２の溶液を以下の成分で調製して、それに第１の溶液を添加した。得られる溶液を濾過した。得られた組成物は、Ｌ−システイン塩酸塩の存在から所望の安定性を示した。
【表２３】
2004078197.tif 000026
【０１０３】
実施例１５：カラー印画紙の処理
ＫＯＤＡＫ　Ｅｄｇｅ　８　カラー印画紙のサンプルを、慣用の１Ｂ感光計にＨＡ−５０、ＮＰ−１１のフィルター、および０．３のインコネルを備えた１／１０秒での階段光学楔を用いて供試体濾光に付した。次いで、サンプルを、実施例１４の１３０ｍＬの組成物を希釈して１Ｌ（ｐＨ１０．８６）とすることによって得たカラー現像組成物を用いて処理した。処理は、以下のような慣用の　ＥＫＴＡＣＯＬＯＲ（商品名）処理　ＲＡ−４　の条件および工程を用いて深型タンク処理機で実施した。
カラー現像　　　　　　３８℃　　　　　　　４５秒
漂白／定着　　　　　　３５℃　　　　　　　４５秒
洗浄／安定化　　　　　３５℃　　　　　　　９０秒
漂白／定着は、市販の　ＫＯＤＡＫ　ＥＫＴＡＣＯＬＯＲ　最高級漂白／定着液を用いて行い、洗浄工程は、ＫＯＤＡＫ　ＥＫＴＡＣＯＬＯＲ　最高級安定化剤を用いて行なった。処理後、カラー印画紙のサンプルを、周囲の温度下で大気中に放置して乾燥した。サンプルの全てにおいて、所望のカラー画像が得られた。
【０１０４】
実施例１６：パートＡに保恒剤をもつカラーネガフィルム処理用三液形カラー現像キット
本発明の三液形カラー現像キットは、三つの別個のパート（即ち、溶液）における以下の成分を用いて配合した。
【表２４】
2004078197.tif 000027
【０１０５】
硫黄化合物保恒剤は、僅か深紅色味を帯びて、容易に濃厚なパートＡに溶解し、塩基で無色に変わった。溶液Ａ、Ｂ、およびＣのそれぞれを、水で１リットルに希釈した。略３３３．３ｍＬのパートＡ、３３３．３ｍＬのパートＢ、および３３３．３ｍＬのパートＣを混合して、１リットルの作業濃度にし、これを、ＫＯＤＡＫＧＯＬＤ（商品名）カラーネガフィルムのサンプル処理用のカラー現像組成物として使用した。
【０１０６】
実施例１７：パートＢに保恒剤をもつカラーネガフィルム処理用三液形カラー現像キット
本発明の三液形カラー現像キットは、三つの別個のパート（即ち、溶液）における以下の成分を用いて配合した。
【表２５】
2004078197.tif 000028
【０１０７】
硫黄化合物保恒剤は、ヒドロキシルアミンスルフェートが存在してもまたは存在しなくても、容易に濃厚なパートＢに溶解した。溶液Ａ、Ｂ、およびＣのそれぞれを、水で１リットルに希釈し、次いで、略３３３．３ｍＬのパートＡ、３３３．３ｍＬのパートＢ、および３３３．３ｍＬのパートＣを混合して、１リットルの作業濃度のカラー現像液とした。
【０１０８】
実施例１８：パートＣに保恒剤をもつカラーネガフィルム処理用三液形カラー現像キット
本発明の三液形カラー現像キットは、三つの別個のパート（即ち、溶液）における以下の成分を用いて配合した。
【表２６】
2004078197.tif 000029
【０１０９】
溶液Ａ、Ｂ、およびＣのそれぞれを、水で１リットルに希釈した。略３３３．３ｍＬのパートＡ、３３３．３ｍＬのパートＢ、および３３３．３ｍＬのパートＣを混合して、１リットルの作業濃度のカラー現像液とした。
【０１１０】
また、パートＡ、Ｂ、およびＣの全てに硫黄保恒剤をもつ他の三液形キットも配合した（例えば、全ての三つのパートにおいて等しい濃度で）。更に、ＤＥＱＵＥＳＴ（商品名）２０６６　または　ＤＥＱＵＥＳＴ（商品名）２０１０　を含む他の金属イオン封鎖剤も、これらの配合に用いた。
【０１１１】
実施例１９：パートＡに保恒剤をもつカラーネガフィルム処理用二液形カラー現像キット
本発明の実施例では、二液形カラー現像キットは、２個の別個のパート（溶液）における以下の成分を用いて配合した。
【表２７】
2004078197.tif 000030
【０１１２】
溶液ＡおよびＢのそれぞれを、水で１リットルに希釈した。略５００ｍＬのパートＡおよび５００ｍＬのパートＢを混合して、１リットルの作業濃度のカラー現像液とした。
【０１１３】
実施例２０：パートＢに保恒剤をもつカラーネガフィルム処理用二液形カラー現像キット
本発明のこの実施例では、実施例１９の二液形カラー現像キットに変えて、ヒドキシルアミンスルフェートを用いまたは用いないで、パートＢに硫黄保恒剤を配合した。また、このカラー現像キットを用いて、ＫＯＤＡＫ　ＧＯＬＤ（商品名）１００　カラーネガフィルムにカラー画像を得た。